(57)【要約】【課題】画像を順次表示する場合の表示効果を、ユーザに面倒な設定操作をさせることなく、画像の内容を反映した、より効果的なものにすることが出来る画像表示方法および画像表示装置を提供する。【解決手段】画像を順次表示する場合に、画像データとともに記録されているＥｘｉｆヘッダ情報を読出す（Ｓ３０３）。Ｅｘｉｆヘッダ情報に、例えば焦点情報が記録されていれば、その情報から、テーブルに基づいてズーム位置及び倍率を決定し（Ｓ３０５）、決定されたズーム位置及び倍率に基づいてズーミング処理を行って画像を表示する（Ｓ３１０）。視線、撮影日時、カメラの向き、撮影シーンモード等の他のＥｘｉｆヘッダ情報に含まれる情報に応じて表示効果を選択するようにすることもできる。【選択図】  図３
2005012674.tif 000002
【特許請求の範囲】
【請求項１】
一つの画像データの表示形態を時系列的に変更しながら、該画像データに対応する画像を表示する画像表示方法において、
前記画像データに関連付けられた撮影情報を取得する工程と、
前記取得された撮影情報に基づいて、前記画像データの表示形態を選択する工程と、
前記選択された表示形態により前記画像データの表示を行う工程と、
を含む画像表示方法。
【請求項２】
一つの画像データの表示形態を時系列的に変更しながら、該画像データに対応する画像を表示する画像表示方法において、
前記画像データに関連付けられた撮影情報を取得する工程と、
前記取得された撮影情報に基づいて、前記画像データの表示形態の候補を選択する工程と、
ユーザが前記画像データの前記表示形態の候補のいずれかを選択できるように、前記表示形態の候補に関する情報の表示を行う工程と、
を含む画像表示方法。
【請求項３】
前記撮影情報は、前記画像データに含まれる画像が、撮影装置によって撮影された時に該画像データに関連付けて記録された情報である請求項１又は２に記載された画像表示方法。
【請求項４】
前記撮影情報は、撮影日時に関する情報、焦点位置に関する情報、撮影者の視線に関する情報、撮影のモードに関する情報、撮影場所の位置に関する情報、撮影装置の向きに関する情報、被写体までの距離に関する情報、撮影時のフラッシュ発光の有無に関する情報のうちの少なくとも一つを含む請求項１乃至３のいずれかに記載の画像表示方法。
【請求項５】
前記表示形態は、画像のいずれかの部分にズームイン又はズームアウトして表示する形態、或いは、画像にアニメーションを合成して表示する形態を含む請求項１乃至４のいずれかに記載の画像表示方法。
【請求項６】
請求項１乃至５のいずれかに記載の画像表示方法を実行することを特徴とするプログラム。
【請求項７】
画像を表示する表示手段と、
画像データを取得する画像データ取得手段と、
画像データに関連付けられた撮影情報を取得する撮影情報取得手段と、
前記撮影情報に対応する表示形態を選択する表示形態選択手段と、
前記選択された表示形態に従って画像を時系列的に変化させて前記表示手段に表示する表示制御手段と、
を備えた画像表示装置。
【請求項８】
画像を表示する表示手段と、
画像データを取得する画像データ取得手段と、
画像データに関連付けられた撮影情報を取得する撮影情報取得手段と、
前記撮影情報に対応する表示形態の候補を選択する表示形態候補選択手段と、
前記選択された表示形態の候補のいずれを選択するかの決定を促す情報を前記表示手段に表示する表示制御手段と、
を備えた画像表示装置。
【発明の詳細な説明】
【０００１】
【発明の属する技術分野】
本発明は、画像データを画面上に表示する画像表示方法及びそれを実行するプログラム並びに画像表示装置に関するものである。
【０００２】
【従来の技術】
デジタルハイビジョン放送が開始され、ハイビジョン対応のテレビ受信機の普及により、従来よりも高画質で迫力のある映像を家庭で楽しめるようになってきている。一方電子スチルカメラの普及により、電子化した静止画および動画をパソコンだけでなく、テレビのモニター画面に表示して楽しむユーザも増えてきている。
【０００３】
こうした状況の中で、撮影した静止画や動画を単にテレビに表示するだけではなく、テレビ番組のように「受動的に」視聴したい、またはテレビ番組や映画のような演出や映像・音声効果をつけた形で楽しみたい、というユーザ要求も次第に高まってきている。
【０００４】
デジタル画像データをユーザが操作することなく順次表示していく方法としてスライドショー表示というものがある。このスライドショーの表示に効果をつける方法としては、例えば、特許文献１において、配布された静止画に予め付与された表示切替効果設定に従い、表示切替効果を制御する方法を従来例として示すと共に、ユーザが自由に他の表示切換え効果に変えられるようにする方法などが提案されている。
【０００５】
【特許文献１】
特開２００２−２８１４５０号公報
【０００６】
【発明が解決しようとする課題】
しかしながら、上記特許文献１に開示された技術では、スライドショーに効果的な切換え効果をつけるためには、コンテンツの製作者が効果を付けていく作業を必要とした。また、この技術では、ユーザは静止画の切換え効果制御命令を他の切換え効果制御命令と交換することしか出来なかった。つまり従来の技術では写真の内容に応じた最適な表示効果を自動もしくは簡便に行うことは困難であった。
【０００７】
本発明は上記問題に鑑みてなされるものであり、画像の表示形態を時系列的に変更して表示する場合の表示効果を、ユーザに面倒な設定操作をさせることなく、画像の内容を反映した、より効果的なものにすることが出来る画像表示方法およびそれを実行するプログラム並びに画像表示装置を提供することを目的としている。
【０００８】
【課題を解決するための手段】
以上の問題を解決する為に、本発明は、一つの画像データの表示形態を時系列的に変更しながら、該画像データに対応する画像を表示する画像表示方法において、前記画像データに関連付けられた関連情報を取得する工程と、前記取得された関連情報に基づいて、前記画像データの表示形態を選択する工程と、前記選択された表示形態により前記画像データの表示を行う工程と、を含む画像表示方法である。
【０００９】
また、一つの画像データの表示形態を時系列的に変更しながら、該画像データに対応する画像を表示する画像表示方法において、前記画像データに関連付けられた関連情報を取得する工程と、前記取得された関連情報に基づいて、前記画像データの表示形態の候補を選択する工程と、ユーザが前記画像データの前記表示形態の候補のいずれかを選択できるように、前記表示形態の候補に関する情報の表示を行う工程と、を含む画像表示方法である。
【００１０】
ここで、関連情報としては、撮影情報など画像源の情報を強く反映した情報であることが望ましい。具体的には、撮影装置によって撮影された画像データに、その撮影の際の各種情報を関連付けて記録させた情報であることが望ましいが、その撮影情報は後の画像処理において変更されてもよい。
【００１１】
本発明に用いられる撮影情報としては、撮影日時に関する情報、焦点位置に関する情報、撮影者の視線に関する情報、撮影のモードに関する情報、撮影場所の位置に関する情報、撮影装置の向きに関する情報、被写体までの距離に関する情報、撮影時のフラッシュ発光の有無に関する情報などから選択される少なくとも一つの撮影情報である。
【００１２】
また、本発明に用いられる表示形態は、画像のいずれかの部分にズームイン又はズームアウトして表示する形態、或いは、画像にアニメーションなどの別の画像を合成して表示する形態を含む。
【００１３】
さらに、本発明の画像表示方法は、パーソナルコンピュータやテレビジョン受像装置のマイクロプロセッサなどの、広義のコンピュータにおいて実行されるプログラムとして、ディスクなどの記憶媒体やインターネットなどの伝送媒体を介して流通可能である。
【００１４】
以上示したような本発明によれば、ユーザが撮影装置で撮影した画像データのような画像の表示形態を時系列的に変更しながら表示する際に、個々の画像の内容に関連付けられた情報を基に、画像の内容に適した表示効果を与えることができるようになる。
【００１５】
【発明の実施の形態】
（第１の実施形態）
（各部の説明）
まず、本発明の第１の実施形態について説明する。図１は本発明が適用されるデジタルテレビ受信装置１００の構成を示した図である。
【００１６】
図１において、不図示のアンテナにより受信された信号はチューナ部１０１に入力される。チューナ部１０１は、入力された信号に対して、復調、誤り訂正等の処理を施し、トランスポートストリームと呼ばれる形式のデジタルデータを生成する。チューナ部は更に、生成したトランスポートストリーム（ＴＳ）データに対しデスクランブル解除処理を行い、デマルチプレクサ１０２に出力する。
【００１７】
デマルチプレクサ部１０２は、チューナ部１０１より入力された複数チャンネル分の映像、音声データ、および電子番組ガイド（ＥＰＧ）データ、データ放送データ等が時分割多重化されているＴＳデータの中から、映像データおよび音声データを取り出し、映像・音声デコーダ１０３に出力する。映像・音声デコーダで処理された映像データはビデオメモリ１０７に書き込まれ、表示合成部１０８を介して、表示器へと出力される。一方音声データは音声出力部１０４にて出力される。
【００１８】
１０９はカードスロットであり、リムーバブルメモリカード等を接続し、本実施形態においてはデジタルカメラとのデータのやり取りを行うために使用される。１０５は画像データ入力部であり、カードスロット１０９に接続されたメモリカードからデジタル画像データを読み込む。１０６は画像処理部であり、画像データ入力部より入力したデジタル画像データに対して画像処理を施し、ビデオメモリ１０７へと書き込む。
【００１９】
１１０は表示制御部であり、画像データ入力部１０５に対する画像読込の指示、画像処理部１０６に対する処理実行の指示、ビデオメモリ１０７への表示データの書き込み、表示合成部１０８に対する合成処理の指示、記憶部１１３に対する情報の記憶指示を行う。また、表示制御部１１０はユーザ入力部１１１を介してリモコン１１４からの入力データの取得、また画像データ入力部１０５を介して、デジタル画像データに関連付けて付与された撮影データ（関連情報）の取得も行なう。また、本発明の画像表示方法がソフトウエアプログラムで提供される場合には、表示制御部１１０において、そのプログラムが実行される。
【００２０】
ここでは、画像データ入力部１０５及び表示制御部１１０が、画像データ取得手段及び関連情報取得手段に相当する。また、記憶部１１３に記憶されたテーブル（図４参照）及び表示制御部１１０が表示形態選択手段に相当する。さらに、表示制御部１１０は表示制御手段に相当する。
【００２１】
リモコン１１４の例を図２に示す。ただし本図は本実施形態を説明する為に必要な機能を実現するための操作を行うボタンのみを表すものであり、実際の受信装置に必要なボタンはこの限りでない。
【００２２】
図２において、２０１はリモコンと図１のユーザ入力部受光部１１１との赤外線通信を行うための発光部、２０２は電源をＯＮ／ＯＦＦする為の電源キー、２０３は上下左右ボタンの真中に決定キーを配したカーソル＆決定キー、２０４、２０５はＵｐ／Ｄｏｗｎ２つのキーからなるアップダウンキー、２０６は１〜９、０の数字がマトリクス上に並んだ数字キー、２０７は青、赤、緑、黄の４色のボタンが横一列に並んでいるカラーキーである。
【００２３】
また、２０８はテレビ受信機のモニターの表示モードを切替えるモニターモードキー、２０９は画像ビューア機能を呼出す為の「ビューワ・キー」である。
【００２４】
本実施形態において用いたデジタル画像はデジタルカメラ（撮影装置）にて撮影された静止画および動画データであり、静止画データはデジタルカメラにてＪＰＥＧ圧縮処理を施された後、静止画像データファイルとしてメモリカードに記録されたものを用いている。また、動画データも同様にデジタルカメラにてフレーム単位でＪＰＥＧ圧縮処理された画像群を動画像データファイルとしてメモリカードに記録されたものを用いている。以後の説明で「画像ファイル」は静止画像データもしくは動画像データの事を示すとする。
【００２５】
それぞれの画像ファイルには、デジタルカメラによって撮影時の情報が、画像データに関連付けて付与されている。撮影時の関連情報（撮影情報）としては、撮影日時やカメラ機種名のほかに、撮影シーンモード、撮影時におけるファインダー内の焦点位置を示す焦点位置情報、ストロボ発光状態情報、被写体との距離を示す情報、ズーム状態情報などがある。
【００２６】
本実施形態で使用したデジタルカメラでは撮影時におけるファインダー内の焦点位置情報として、「左」「中」「右」のうち何れかが記録されるものを用いている。
【００２７】
（処理動作説明）
本発明によるデジタルテレビ受信装置１００におけるデジタル画像の表示は、ユーザがカードスロット１０９にメモリカードを装着し、リモコン操作によって、画像ビューア機能を呼びだすことによって開始される。
【００２８】
図３はデジタルテレビ受信装置における画像ビューア機能の一部の動作について表示制御部１１０の動作を中心に示した図である。以下この図を使って説明する。
【００２９】
（スライドショーの開始）
ユーザが図２に示すリモコンの「ビューワ」キーを押下すると、表示制御部１１０は図３に示す処理を開始する。
【００３０】
（ズーム位置・倍率の決定処理）
まず表示制御部１１０は画像データ入力部１０５を介してメモリスロット１０９に挿入されているメモリカードにある画像ファイルの総数を読出し記憶する（Ｓ３０１）。そして次に１枚目の画像ファイルのＥｘｉｆヘッダ情報を読出しを行う（Ｓ３０２，Ｓ３０３）。
【００３１】
画像のＥｘｉｆヘッダ情報に「焦点位置情報」が含まれていた場合には（Ｓ３０４）、図４に示すテーブルを用いて焦点位置情報に応じたズーム位置およびズーム倍率を決定する（Ｓ３０６）。例えば、焦点位置情報が「左」であれば、図４のテーブルに従ってズーム位置を「左端つけ」、ズーム倍率を「２００％」と決定する。図４に示すテーブルは、関連情報と画像データの表示形態とを対応関係を規定する情報である。
【００３２】
一方、画像のＥｘｉｆヘッダ情報に「焦点位置情報」が含まれていなかった場合には、ズーム位置を「中心」、ズーム倍率を「１５０％」とする（Ｓ３０５）。
【００３３】
そして表示制御部１１０は画像入力部１０５を介してメモリカードからこの画像のデータを読出し（Ｓ３０７）、画像処理部１０６へと送りデコード処理を行った後（Ｓ３０８）、ビデオメモリに対して表示データを書き込むことで画像の表示を行う（Ｓ３０９）。
【００３４】
（ズーミング表示）
表示制御部１１０は表示合成部１０８を制御し、先の処理で決定したズーム位置およびズーム倍率に従ってズーミング表示を実行する（Ｓ３１０）。図５は表示合成部によって行われる画像のズーミング処理の様子を示した図である。
【００３５】
例えばズーム位置が「中心」、ズーム倍率が「２００％」と決定した場合には、図５の（ａ）に示すように、表示の初めは画像全体を表示し、徐々に図中内側の矩形までズーミングを行うように制御する。
【００３６】
またズーム位置が「左端つけ」、ズーム倍率が「２００％」と決定した場合には、図５の（ｂ）に示すようにズーミングを行う。
【００３７】
またズーム位置が「右端つけ」、ズーム倍率が「２００％」と決定した場合には、図５の（ｃ）に示すようにズーミングを行う。
【００３８】
同様に、ズーム位置が「中心」、ズーム倍率が「１５０％」の場合には、図５の（ｄ）に示すように、ズーム位置が「左端つけ」、ズーム倍率が「１５０％」の場合には、図５の（ｅ）に示すように、ズーム位置が「右端つけ」、ズーム倍率が「１５００％」の場合には、図５の（ｆ）に示すように、それぞれズーミング処理を行う。
【００３９】
表示制御部１１０は１枚目のズーミング処理を終了すると、２枚目以降の画像についても同様の処理を行う。
【００４０】
（作用）
以上説明した表示制御部１１０の処理により、得られる作用について説明する。
【００４１】
図６（ａ）は本発明の実施形態で用いたデジタル画像の一例である。この例では写真の左側に被写体があり、仮にズーム位置を「中心」としてズーミングを行うと、図６（ｂ）に示すように被写体が画面の端で一部見えなくなってしまい、ユーザにとって興味のある部分が表示されなくなってしまう。
【００４２】
上述した表示制御部１１０の処理によれば、このデジタル画像に図６（ｃ）に示すような焦点位置情報「左」が含まれていた場合には、図４のテーブルから、ズーム位置が「左端つけ」、ズーム倍率が「２００％」となり、図６（ｄ）に示すようなズーミング処理が行われることになり、被写体を常に画面に表示させたままズーミングが可能となる。
【００４３】
通常ユーザは被写体に焦点を合わせて撮影するのが普通であり、焦点位置がユーザにとって興味のある被写体を示していることが多い。焦点位置情報が画像データに含まれる場合には、その位置を反映させてズーミングすることで、ユーザの興味のある部分に向かって徐々にズーミングすることが出来、より高い表示効果が得られるようになる。
【００４４】
また、本実施形態における表示制御部１１０の制御によれば焦点位置情報が、「左」と「中」のように２箇所ある場合には、拡大率を下げてその２箇所の領域のどちらも画面からはみださないようにズーミングすることが可能である。
【００４５】
つまり本発明の第１の実施形態によれば、ユーザがデジタルカメラで撮影した画像データをスライドショー表示する際に、写真固有の情報に基づき、その写真に適した、より効果的なズーミング処理を自動で行うことが出来るようになる。
【００４６】
なお、上記説明において、ズーミング処理について画像に対し徐々にズームインしていく処理を前提としたが、本発明の本質からすれば、当然これに限られるものではなく、例えば、逆に、一部分の拡大表示から徐々にズームアウトしていく処理であってもよい。
【００４７】
また、上記説明においては撮影時に記録された焦点位置情報という情報を用いる例を紹介したが、それ以外にも例えば、デジタルカメラが撮影シーンモードとして被写体位置あるいは焦点位置が固定されたモードを設定可能な場合には、この撮影シーンモードの情報を用いてもよい。例えば図１３のように「人物右」「人物左」といった撮影シーンモードを持ったデジタルカメラで撮影し、画像のＥｘｉｆヘッダ情報に「人物右」という情報があった場合、写真の右側に向かって徐々にズーミング処理を行うようにすることで、上記説明と同様の作用が得られる。
【００４８】
また、本発明において、一つの画像データの表示形態を時系列的に変更する処理は、自動で行われても、ユーザーがボタンを押すたびに、順次断続的に変更されるように、手動で行われてもよい。
【００４９】
さらに、本発明の画像表示装置は、デジタルビデオカメラやデジタルスチルカメラのように撮像装置と一体化されたものであってもよい。
これらの各種変形は、後述する各実施形態においても同様である。
【００５０】
（第２の実施形態）
上記、第１の実施形態においては、Ｅｘｉｆヘッダ情報に含まれる撮影時の焦点位置情報という情報から、より効果的なズーミングを行う例を示したが、本発明の本質からすれば、当然これに限定されるものではなく、例えば、デジタルカメラが視線入力機能を有している場合には、この視線に関する情報を用いても良い。
【００５１】
例えば、Ｅｘｉｆヘッダ情報に記録された情報が、撮影時にファインダーの「左側」に撮影者の視線があったことを示す情報を含んでいる場合には、写真の左側に向かって徐々にズーミングしていくようにズーミング処理を行うようにすることで、第１の実施形態と同様の作用が得られる。
【００５２】
（第３の実施形態）
（各部の説明）
次に、本発明の第３の実施形態について説明する。本実施形態で用いたデジタルテレビ受信装置の構成は図１と同じであるので説明は省略する。
【００５３】
本実施形態においても先の実施形態で用いたものと同様のデジタルカメラで撮影されたデジタル画像を用いるが、本実施形態で使用したデジタルカメラでは、特に撮影日時の情報、撮影時のカメラの向きを示す情報（つまり横長写真／縦長写真を示す）と、撮影時の撮影シーンモードとして「オートモード」「風景モード」「人物モード（ポートレートモード）」「ナイト（夜間撮影）モード」といったモード設定が記録されるものを用いている。
【００５４】
（処理動作説明）
本発明によるデジタルテレビ受信装置１００におけるデジタル画像の表示は、ユーザがカードスロット１０９にメモリカードを装着し、リモコン操作によって、画像ビューア機能を呼びだすことによって開始される。
【００５５】
図７はデジタルテレビ受信装置における画像ビューア機能の一部の動作について表示制御部１１０の動作を中心に示した図である。以下この図を使って説明する。
【００５６】
（スライドショーの開始）
ユーザが図２に示すリモコン１１４の「ビューワ」キーを押下すると、表示制御部１１０は図７に示す処理を開始する。
【００５７】
（表示効果決定処理）
まず表示制御部１１０は画像データ入力部１０５を介してメモリスロット１０９に挿入されているメモリカード内にある画像ファイルの総数を読出し記憶する（Ｓ７０１）。そして次に１枚目の画像のＥｘｉｆヘッダ情報の読出しを行う（Ｓ７０２，Ｓ７０３）。画像のＥｘｉｆヘッダ情報に含まれる「撮影シーンモード情報」および「カメラの向き情報」の内容に従い図８に示すテーブルを用いて撮影シーンモードに応じた表示効果を決定する（Ｓ７０４）。
【００５８】
図８のテーブルは、表示制御部１１０が表示効果を決定する際の、各条件に応じた決定結果を示したものである。
【００５９】
例えば、処理中の画像の撮影シーンモードが「風景」であり、カメラの向き情報、つまり写真が「縦長」であった場合には、表示制御部１１０はズーミング処理Ｃを選択する。
【００６０】
また、画像の撮影シーンモードが「人物」であり、写真が「縦長」であった場合には、表示制御部１１０はズーミング処理Ｄを選択する。
【００６１】
そして表示制御部１１０は画像入力部１０５を介してメモリカードからこの画像のデータを読出し（Ｓ７０５）、画像処理部１０６へと送りデコード処理を行った後（Ｓ７０６）、ビデオメモリに対して表示データを書き込むことで画像の表示を行う（Ｓ７０７）。
【００６２】
（ズーミング表示）
次に表示制御部１１０は表示合成部１０８を制御し、先の処理で決定したズーミング処理Ａ〜Ｄ従ってズーミング表示を実行する（Ｓ７０８）。
【００６３】
図９はズーミング処理Ａ〜Ｄによる画像に対する表示領域の変化を示した図である。
【００６４】
例えばズーミング処理Ａでは、画像全体表示から中心に向かって小さい矩形範囲の表示まで徐々にズーミングを行うよう制御する。ズーミング処理Ｂでは、左側の大きい矩形領域から右側の小さな矩形領域へと徐々にズーミングを行うよう制御する。また、ズーミング処理Ｃでは、下側の大きい矩形領域から上側の小さな矩形領域へと徐々にズーミングを行うよう制御する。また、ズーミング処理Ｄでは、外側の左側の大きい矩形領域から内側の小さな矩形領域へと徐々にズーミングを行うよう制御する。
【００６５】
表示制御部１１０は１枚目のズーミング処理を終了すると、２枚目以降の画像についても同様の処理を行う（Ｓ７１０）。
【００６６】
（作用）
以上説明してきた本実施形態における表示制御部１１０の処理による作用について説明する。
【００６７】
表示している画像が風景写真で横長の場合、図９のズーミング処理Ｂに示すようなズーミング処理が行われる。一般に横長な風景写真は広大な景色全体を被写体としたものが多いため、ズーム倍率をあまり高めにせず、ズーミング処理Ａのようにパン表示するようにしたほうが、景色の広大さを損なわずに表示効果をつけることが出来る。
【００６８】
一方、画像が風景写真で縦長の場合には、表示制御部１１０は図９のズーミング処理Ｃに示すようなズーミング処理を行う。縦長の風景写真は一般に、高い建物を写したか、もしくは足元に流れる川などと遠方の景色と一緒に写した場合が多く、このような場合、下方から上方に向かってズーミングすることでより、高さや奥行きを強調表現するような表示効果が得られる。
【００６９】
また人物写真で縦長の場合には、一般に中心より上方の領域に人物の顔があることが多いため、このような場合、図９に示すズーミング処理Ｄのように、常にこの部分を表示したままズーミングすることで、顔の一部が切れるといった不具合を出さずにズーミング表示できるようになる。
【００７０】
（第４の実施形態）
（各部の説明）
次に、本発明の第４の実施形態について説明する。本実施形態で用いたデジタルテレビ受信装置の構成は図１と同じであるので説明は省略する。
【００７１】
本実施形態においても先の実施形態で用いたものと同様のデジタルカメラで撮影されたデジタル画像を用いるが、本実施形態で使用したデジタルカメラは、特に撮影日時の情報、撮影時の被写体距離情報、フラッシュ発光の有無の情報、撮影時の撮影シーンモードとして「オートモード」「風景モード」「人物モード（ポートレートモード）」「ナイト（夜間撮影）モード」といったモード設定が記録されるものを用いている。
【００７２】
（処理動作説明）
本発明によるデジタルテレビ受信装置１００におけるデジタル画像の表示は、ユーザがカードスロット１０９にメモリカードを装着し、リモコン操作によって、画像ビューア機能を呼びだすことによって開始される。
【００７３】
図７はデジタルテレビ受信装置における画像ビューア機能の一部の動作について表示制御部１１０の動作を中心に示した図である。以下この図を使って説明する。
【００７４】
（スライドショーの開始）
ユーザが図２に示すリモコンの「ビューワ」キーを押下すると、表示制御部１１０は図１０に示す処理を開始する。
【００７５】
（表示効果決定処理）
まず表示制御部１１０は画像データ入力部１０５を介してメモリスロット１０９に挿入されているメモリカード内にある画像データの総数を読出し記憶する（Ｓ１００１）。そして次に１枚目の画像のＥｘｉｆヘッダ情報の読出しを行う（Ｓ１００２，Ｓ１００３）。
【００７６】
次に画像のＥｘｉｆヘッダ情報に含まれる「撮影シーンモード情報」「被写体距離情報」「フラッシュ発光情報」「撮影日時情報」の内容に従い図１１に示すテーブルを用いて撮影シーンモードに応じた表示効果を決定する（Ｓ１００４）。
【００７７】
図１１のテーブルは、表示制御部１１０が表示効果を決定する際の、各条件に応じた決定結果を示したものである。すなわち、図１１に示すテーブルは関連情報である「撮影シーンモード情報」「被写体距離情報」「フラッシュ発光情報」「撮影日時情報」と表示形態との対応関係を規定する情報である。
【００７８】
例えば処理中の画像の撮影シーンモードが「風景」であり、４月１日の日中に撮影された情報で、被写体距離が１５ｍでフラッシュの発光が無い写真の場合、表示制御部１１０はアニメーション処理Ａを選択する。
【００７９】
また、画像の撮影シーンモードが「夜景」であり、１２月２５日に撮影された情報で、被写体距離が２０ｍの場合、表示制御部１１０はアニメーション処理Ｃを選択する。
【００８０】
そして表示制御部１１０は画像入力部１０５を介してメモリカードからこの画像のデータを読出し（Ｓ１００５）、画像処理部１０６へと送りデコード処理を行った後（Ｓ１００６）、ビデオメモリ１０７に対して表示データを書き込むことで画像の表示を行う（Ｓ１００７）。
【００８１】
（自動効果処理）
次に表示制御部１１０は予めユーザによって設定された情報を読出し、その中で、自動表示効果が設定されているか否かの情報を確認する（Ｓ１００８）。
【００８２】
自動表示効果が「設定されている」場合（Ｓ１００９）、先の処理にてアニメーション処理が選択されていれば、表示中の画像に対して、アニメーション・オーバーレイ処理を実行する（Ｓ１０１０）。
【００８３】
例えば、アニメーション処理Ｃが選択されている場合、表示制御部１１０は図１２（ａ）に示すような雪が舞い降りてきているようなアニメーションを表示中の画像に対してオーバーレイ表示を行うよう、ビデオメモリ１０７および表示合成部１０８に対して制御を行う。
【００８４】
（表示効果アイコンの表示）
一方、自動表示効果が「設定されていない」場合、先のＳ１００４の処理にてアニメーション処理が選択されていれば、図１２（ｂ）に示すようにアニメーション・オーバーレイ付の表示をユーザに促すための表示を行う（Ｓ１０１１）。この図では青ボタンを押下することで「雪」のアニメーションの表示効果が実行できる事を示している。そして実際にユーザにより青ボタンが押下される（Ｓ１０１２）と、先に説明したように表示中の画像に対して、「雪」のアニメーション・オーバーレイ処理を実行する（Ｓ１０１０）。ここでは、図１１に示すテーブル及び表示制御部１１０が表示候補選択手段に相当する。また、画面上に表示された青のボタンが、表示形態の候補であるアニメーション・オーバーレイ処理を選択するかの決定を促す情報に相当する。
【００８５】
（作用）
以上説明してきた表示制御部１１０の処理による作用について説明する。
【００８６】
表示制御部１１０の処理により、Ｅｘｉｆ情報が一定の条件を満たす画像に対し、図１２（ａ）に示したようなアニメーションをオーバーレイ表示することが可能となる。
【００８７】
例えば表示している画像が風景写真で４月１日の日中に撮影された場合、一般に国内で桜が咲いているシーズンであるため、桜見物に関連した写真である可能性が高い。また、直接桜見物とは関係の無い写真でも入園式、入学式といった一般に「桜」と関連のあると思われるシーンで取った写真である可能性が高い。このようなシーンの写真に「桜」が舞い落ちる表示効果を施すことで、単純に画像を表示したときよりもユーザが写真から得る印象をより深くすることが可能となる。本実施形態の表示制御部１１０の処理によれば、このような写真に対し、自動もしくはワンボタン操作にて桜の花びらが舞い落ちるアニメーションをオーバーレイ表示することが可能となる。
【００８８】
また表示している画像が夜景写真で１２月２５日に撮影された場合、一般に国内の多くの場所で降雪が見られるシーズンであるため、撮影時にも雪が降っていた可能性が高いと言える。本実施形態の表示制御部の処理によればこのような写真に対し、自動もしくはワンボタン操作にて雪が舞い落ちるアニメーションをオーバーレイ表示することが可能となる。このような表示効果を施すことで、ユーザにとってこの写真をより印象深いものにすることが可能となる。
【００８９】
なお、図１０のＳ１００４の処理、および図１１に示したテーブルにおいて、被写体距離の長い（５ｍ以上）写真のみに対してアニメーション・オーバーレイを行うようにしているが、これは被写体が比較的近くにある写真に対して桜や雪が舞い落ちる様なアニメーションをオーバーレイ表示すると、被写体の奥のほうに桜や雪が降っていないように見え、奥行き感がなくなり、高い表示効果が得られないためである。また、フラッシュ発光が無かった写真のみアニメーションをオーバーレイすることとしたが、これも同様の理由であり、一般にフラッシュを発光させる写真は屋内で撮影されたか、（逆光防止などの理由で）被写体が比較的近い距離にあることが多いためである。
【００９０】
このような表示制御を行うことで、写真を撮影した季節や状況に応じた効果的な表示効果を行うことが可能となる。
【００９１】
また図１２（ａ）の例では、全ての雪の粒が同じ大きさで表現されているが、実際に採用する場合には、アニメーションでは桜の花びらや雪の粒に関して、大小の大きさのものが混じったアニメーションを表示することが好ましい。このようにすることでアニメーション表示をしないときよりも写真に奥行き感を付けることも可能となる。
【００９２】
（第５の実施形態）
第３の実施形態においては、撮影日時情報、撮影シーンモード情報、被写体距離情報、フラッシュ発光情報といったＥｘｉｆヘッダ情報からより効果的なアニメーションを選択していたが、本発明の本質からすれば、当然これに限定されるものではない。例えば、デジタルカメラがＧＰＳからの撮影位置情報を記録できる場合には、この情報から効果的なアニメーションを選択するようにしてもよい。
【００９３】
例えば、Ｅｘｉｆヘッダ情報に記録された情報から撮影場所が札幌市周辺ということが分かれば、国内の他の地域よりも降雪する季節が長いことがわかるので、例えば図１１のアニメーションＣを選択するための条件である「１２／１０〜１／３１」という条件を「１１／１０〜２／３０」というように広げることも可能となる。
【００９４】
【発明の効果】
以上詳記したように、本発明の画像表示方法および画像表示装置によれば、画像を順次表示する場合の表示効果を、ユーザに面倒な設定操作をさせることなく、画像の内容を反映した、より効果的なものにすることが出来る。
【図面の簡単な説明】
【図１】図１は本発明の第１の実施形態におけるテレビ受像機の構成を示すブロック図である。
【図２】図２は本実施形態のテレビ受像機のリモコンを示すブロック図である。
【図３】図３は第１の実施形態における表示制御部１１０の動作の流れを示すチャート図である。
【図４】図４は第１の実施形態における表示制御部１１０が表示効果のパラメータを決定する際に用いる情報テーブルの例を示した図である。
【図５】図５は第１の実施形態における表示効果処理の例を示した図である。
【図６】図６は第１の実施形態における作用の例を示した図である。
【図７】図７は第３の実施形態における表示制御部１１０の動作の流れを示すチャート図である。
【図８】図８は第３の実施形態における表示制御部１１０が表示効果のパラメータを決定する際に用いる情報テーブルの例を示した図である。
【図９】図９は第３の実施形態における表示効果処理の例を示した図である。
【図１０】図１０は第４の実施形態における表示制御部１１０の動作の流れを示すチャート図である。
【図１１】図１１は第４の実施形態における表示制御部１１０が表示効果のパラメータを決定する際に用いる情報テーブルの例を示した図である。
【図１２】図１２は第４の実施形態における表示効果処理の例を示した図である。
【図１３】図１３は撮影シーンを説明するための模式図である。
【図１】
2005012674.tif 000003
【図２】
2005012674.tif 000004
【図３】
2005012674.tif 000005
【図４】
2005012674.tif 000006
【図５】
2005012674.tif 000007
【図６】
2005012674.tif 000008
【図７】
2005012674.tif 000009
【図８】
2005012674.tif 000010
【図９】
2005012674.tif 000011
【図１０】
2005012674.tif 000012
【図１１】
2005012674.tif 000013
【図１２】
2005012674.tif 000014
【図１３】
2005012674.tif 000015